(57)【要約】【課題】  本発明は、電子装置におけるメッセージ管理のための方法及び装置並びにメッセージ送信方法及び装置に関する。【解決手段】  メッセージ管理方法は、複数の送受信された対話メッセージの内容を日付別に並べて表示する段階と、前記送受信された対話メッセージを圧縮するための少なくとも１つのタッチを感知する段階と、前記少なくとも１つ以上のタッチに対応して、前記送受信された対話メッセージを圧縮する段階と、を含み、メッセージ送信方法は、複数の圧縮された送受信対話メッセージを表示する段階と、前記複数の圧縮された送受信対話メッセージのうち１つの圧縮された送受信対話メッセージに対するジェスチャを感知する段階と、前記ジェスチャに応じて、前記１つの圧縮された送受信対話メッセージに含まれたメッセージを少なくとも１つ以上の相手方に送信する段階と、を含む。【選択図】図２Ａ
2014096798.tif 000002
【特許請求の範囲】
【請求項１】
電子装置のメッセージ管理方法において、
複数の送受信された対話メッセージの内容を日付別に並べて表示する段階と、
前記送受信された対話メッセージを圧縮するための少なくとも１つのタッチを感知する段階と、
前記少なくとも１つ以上のタッチに対応して、前記送受信された対話メッセージを圧縮する段階と、を含むメッセージ管理方法。
【請求項２】
前記送受信された対話メッセージを圧縮するための少なくとも１つのタッチを感知する段階は、
前記複数の送受信された対話メッセージのうち第１メッセージの第１タッチを感知する段階と、
前記複数の送受信された対話メッセージのうち第２メッセージに該当する第２タッチを感知する段階を含む請求項１に記載のメッセージ管理方法。
【請求項３】
前記第２タッチに基づいたスクロールを介して、前記第２メッセージを検索する段階をさらに含む請求項２に記載のメッセージ管理方法。
【請求項４】
前記少なくとも１つ以上のタッチに対応して、前記送受信された対話メッセージを圧縮する段階は、
第１タッチに該当する第１メッセージと第２タッチに該当する第２メッセージとの間の対話メッセージを圧縮する段階を含む請求項１に記載のメッセージ管理方法。
【請求項５】
前記送受信された対話メッセージを圧縮するための少なくとも１つのタッチを感知する段階は、
特定の日付に該当するオブジェクトのタッチを感知する段階を含む請求項１に記載のメッセージ管理方法。
【請求項６】
前記少なくとも１つ以上のタッチに対応して、前記送受信された対話メッセージを圧縮する段階は、
タッチされた特定の日付に送受信された対話メッセージを圧縮する段階を含む請求項１に記載のメッセージ管理方法。
【請求項７】
前記送受信された対話メッセージを圧縮するための少なくとも１つのタッチを感知する段階は、
第１特定の日付に該当するオブジェクトの第１タッチを感知する段階と、
第２特定の日付に該当するオブジェクトの第２タッチを感知する段階と、を含む請求項１に記載のメッセージ管理方法。
【請求項８】
前記第２タッチに基づいたスクロールを介して、前記第２特定の日付に該当するオブジェクトを検索する段階をさらに含む請求項７に記載のメッセージ管理方法。
【請求項９】
前記少なくとも１つ以上のタッチに対応して、前記送受信された対話メッセージを圧縮する段階は、
タッチされた第１特定の日付に該当するオブジェクトと第２特定の日付に該当するオブジェクとのト間の日付別に対話メッセージを圧縮する段階を含む請求項１に記載のメッセージ管理方法。
【請求項１０】
前記圧縮された送受信された対話メッセージはメッセージが重なって表示されるか、または前記送受信された対話メッセージが圧縮されていることを示すアイコン形態で表示される請求項１に記載のメッセージ管理方法。
【請求項１１】
前記圧縮された送受信された対話メッセージに対する情報を表示する段階をさらに含む請求項１に記載のメッセージ管理方法。
【請求項１２】
前記圧縮された送受信された対話メッセージに対する情報は、特定の日付、対話メッセージの送受信時刻、前記圧縮された送受信された対話メッセージのうち最初のメッセージの内容のうち一部又は全体内容、ユーザによって入力されたタイトルのうち１つであることを特徴とする請求項１１に記載のメッセージ管理方法。
【請求項１３】
電子装置のメッセージ送信方法において、
複数の圧縮された送受信対話メッセージを表示する段階と、
前記複数の圧縮された送受信対話メッセージのうち１つの圧縮された送受信対話メッセージに対するジェスチャを感知する段階と、
前記ジェスチャに応じて、前記１つの圧縮された送受信対話メッセージに含まれたメッセージを少なくとも１つ以上の相手方に送信する段階と、を含むメッセージ送信方法。
【請求項１４】
前記ジェスチャは、前記１つの圧縮された送受信対話メッセージをタッチする動作であるか、
前記１つの圧縮された送受信対話メッセージを選択して特定の領域に移動させる動作であることを特徴とする請求項１３に記載の方法。
【請求項１５】
前記特定の領域は、縦軸を基準に二等分される領域であることを特徴とする請求項１４に記載の方法。
【請求項１６】
電子装置のメッセージ管理方法において、
複数の送受信された対話メッセージの内容を並べて表示する段階と、
前記複数の送受信されたメッセージの内容のうちデータベースデータと符合する少なくとも１つのメッセージがあるかを判断する段階と、
前記符合する少なくとも１つのメッセージに基づいてメッセージを区分するための区分線を表示する段階と、を含むメッセージ管理方法。
【請求項１７】
前記データベースデータは、事前に定義された特定のフレーズ及び単語又は意味を有するデータであることを特徴とする請求項１６に記載のメッセージ管理方法。
【請求項１８】
前記符合する少なくとも１つのメッセージに基づいてメッセージを区分するための区分線を表示する段階は、
前記符合する少なくとも１つのメッセージのうち１つのメッセージを選択する段階と、
前記選択されたメッセージの送受信時刻前後のメッセージが特定の対話内容に該当するかを判断する段階と、
前記特定の対話内容の開始に該当するメッセージを選択する段階と、
前記特定の対話内容の開始に該当するメッセージであることを示す線を表示する段階と、を含む請求項１６に記載のメッセージ管理方法。
【請求項１９】
前記メッセージを区分するための区分線は、
特定の対話内容の開始メッセージであることを知らせるための表示であることを特徴とする請求項１６に記載のメッセージ管理方法。
【請求項２０】
前記複数の送受信された対話メッセージは少なくとも１つ以上のページ形態に区分する段階をさらに含む請求項１６に記載のメッセージ管理方法。
【請求項２１】
前記ページは、
メッセージの送受信開始時点と終了時点との間のメッセージによって決定されるか、
所定時間の間にメッセージの送受信イベントが発生しない時点によって決定されることを特徴とする請求項１６に記載のメッセージ管理方法。
【請求項２２】
少なくとも１つ以上のメッセージを選択する段階と、
前記選択された少なくとも１つ以上のメッセージを区分された特定のテーマに該当するメッセージグループに移動する段階と、をさらに含む請求項１６に記載のメッセージ管理方法。
【請求項２３】
前記複数の送受信された対話メッセージのうち少なくとも１つ以上のメッセージと他のアプリケーションとをリンクさせる段階をさらに含む請求項１６に記載のメッセージ管理方法。
【請求項２４】
電子装置のメッセージ送信方法において、
複数の圧縮された送受信対話メッセージを少なくとも１つ以上のページ形態に区分して表示する段階と、
前記少なくとも１つ以上のページ形態に区分された送受信対話メッセージのうち１つの送受信対話メッセージを含むページに対するジェスチャを感知する段階と、
前記ジェスチャに応じて、前記ページに含まれた送受信対話メッセージを少なくとも１つ以上の相手方に送信する段階と、を含むメッセージ送信方法。
【請求項２５】
前記複数の圧縮された送受信対話メッセージを特定の対話内容の開始メッセージであることを知らせるための区分線で区分し、区分されたメッセージに対する情報を表示する段階と、
前記区分されたメッセージに対する情報に該当するオブジェクトのタッチを感知する段階と、
前記タッチに応じて、前記区分されたメッセージ送信する段階と、をさらに含む請求項２４に記載のメッセージ送信方法。
【請求項２６】
前記区分されたメッセージに対する情報は、
前記区分されたメッセージに対応するショートカットアイコン及び対話タイトルであることを特徴とする請求項２５に記載のメッセージ送信方法。
【請求項２７】
前記ジェスチャは、ページをめくるジェスチャ動作であって、
ページがめくられる効果音が出力されることを特徴とする請求項２４に記載のメッセージ送信方法。
【請求項２８】
タッチスクリーン；
１つ以上のプロセッサ；
メモリ；及び
前記メモリに格納されており前記１つ以上のプロセッサによって実行されるように構成される１つ以上のプログラムを含む電子装置であって、
前記プログラムは、
複数の送受信された対話メッセージの内容を日付別に並べて表示し、
前記送受信された対話メッセージを圧縮するための少なくとも１つのタッチを感知し、
前記少なくとも１つ以上のタッチに対応して、前記送受信された対話メッセージを圧縮する命令を含む電子装置。
【請求項２９】
前記送受信された対話メッセージを圧縮するための少なくとも１つのタッチを感知する命令は、
前記複数の送受信された対話メッセージのうち第１メッセージの第１タッチを感知し、
前記複数の送受信された対話メッセージのうち第２メッセージの該当する第２タッチを感知する命令を含む請求項２８に記載の電子装置。
【請求項３０】
前記第２タッチに基づいたスクロールを介して、前記第２メッセージを検索する命令をさらに含む請求項２９に記載の電子装置。
【請求項３１】
前記少なくとも１つ以上のタッチに対応して、前記送受信された対話メッセージを圧縮する命令は、
第１タッチに該当する第１メッセージと第２タッチに該当する第２メッセージとの間の対話メッセージを圧縮する命令を含む請求項２８に記載の電子装置。
【請求項３２】
前記送受信された対話メッセージを圧縮するための少なくとも１つのタッチを感知する命令は、
特定の日付に該当するオブジェクトのタッチを感知する命令を含む請求項２８に記載の電子装置。
【請求項３３】
前記少なくとも１つ以上のタッチに対応して、前記送受信された対話メッセージを圧縮する命令は、
タッチされた特定の日付に送受信された対話メッセージを圧縮する命令を含む請求項２８に記載の電子装置。
【請求項３４】
前記送受信された対話メッセージを圧縮するための少なくとも１つのタッチを感知する命令は、
第１特定の日付に該当するオブジェクトの第１タッチを感知し、
第２特定の日付に該当するオブジェクトの第２タッチを感知する命令を含む請求項２８に記載の電子装置。
【請求項３５】
前記第２タッチに基づいたスクロールを介して、前記第２特定の日付に該当するオブジェクトを検索する命令をさらに含む請求項３４に記載の電子装置。
【請求項３６】
前記少なくとも１つ以上のタッチに対応して、前記送受信された対話メッセージを圧縮する命令は、
タッチされた第１特定の日付に該当するオブジェクトと第２特定の日付に該当するオブジェクトとの間の日付別に対話メッセージを圧縮する命令を含む請求項２８に記載の電子装置。
【請求項３７】
前記圧縮された送受信された対話メッセージはメッセージが重なって表示されるか、または前記送受信された対話メッセージが圧縮されていることを示すアイコン形態で表示される請求項２８に記載の電子装置。
【請求項３８】
前記圧縮された送受信された対話メッセージに対する情報を表示する命令をさらに含む請求項２８に記載の電子装置。
【請求項３９】
前記圧縮された送受信された対話メッセージに対する情報は、特定の日付、対話メッセージの送受信時刻、前記圧縮された送受信された対話メッセージのうち最初のメッセージの内容のうち一部又は全体内容、ユーザによって入力されたタイトルのうち１つであることを特徴とする請求項３８に記載の電子装置。
【請求項４０】
タッチスクリーン；
１つ以上のプロセッサ；
メモリ；及び
前記メモリに格納されており前記１つ以上のプロセッサによって実行されるように構成される１つ以上のプログラムを含む電子装置であって、
前記プログラムは、
複数の圧縮された送受信対話メッセージを表示し、
前記複数の圧縮された送受信対話メッセージのうち１つの圧縮された送受信対話メッセージに対するジェスチャを感知し、
前記ジェスチャに応じて、前記１つの圧縮された送受信対話メッセージに含まれたメッセージを少なくとも１つ以上の相手方に送信する命令を含む電子装置。
【請求項４１】
前記ジェスチャは、前記１つの圧縮された送受信対話メッセージをタッチする動作であるか、
前記１つの圧縮された送受信対話メッセージを選択して特定の領域に移動させる動作であることを特徴とする請求項４０に記載の方法。
【請求項４２】
前記特定の領域は、縦軸を基準に二等分される領域であることを特徴とする請求項４１に記載の電子装置。
【請求項４３】
タッチスクリーン；
１つ以上のプロセッサ；
メモリ；及び
前記メモリに格納されており前記１つ以上のプロセッサによって実行されるように構成される１つ以上のプログラムを含む電子装置であって、
前記プログラムは、
複数の送受信された対話メッセージの内容を並べて表示し、
前記複数の送受信されたメッセージの内容のうちデータベースデータと符合する少なくとも１つのメッセージがあるかを判断し、
前記符合する少なくとも１つのメッセージに基づいてメッセージを区分するための区分線を表示する命令を含む電子装置。
【請求項４４】
前記データベースデータは、事前に定義された特定のフレーズ及び単語又は意味を有するデータであることを特徴とする請求項１６に記載の電子装置。
【請求項４５】
前記符合する少なくとも１つのメッセージに基づいてメッセージを区分するための区分線を表示する命令は、
前記符合する少なくとも１つのメッセージのうち１つのメッセージを選択し、
前記選択されたメッセージの送受信時刻前後のメッセージが特定の対話内容に該当するかを判断し、
前記特定の対話内容の開始に該当するメッセージを選択し、
前記特定の対話内容の開始に該当するメッセージであることを示す線を表示する命令を含む請求項４３に記載の電子装置。
【請求項４６】
前記メッセージを区分するための区分線は、
特定の対話内容の開始メッセージであることを知らせるための表示であることを特徴とする請求項４３に記載の電子装置。
【請求項４７】
前記複数の送受信された対話メッセージは少なくとも１つ以上のページ形態に区分する命令をさらに含む請求項４３に記載のメッセージ管理方法。
【請求項４８】
前記ページは、
メッセージの送受信開始時点と終了時点との間のメッセージによって決定されるか、
所定時間の間にメッセージの送受信イベントが発生しない時点によって決定されることを特徴とする請求項４３に記載の電子装置。
【請求項４９】
少なくとも１つ以上のメッセージを選択し、
前記選択された少なくとも１つ以上のメッセージを区分された特定のテーマに該当するメッセージグループに移動する命令をさらに含む請求項４３に記載の電子装置。
【請求項５０】
前記複数の送受信された対話メッセージのうち少なくとも１つ以上のメッセージと他のアプリケーションとをリンクさせる命令をさらに含む請求項４３に記載の電子装置。
【請求項５１】
タッチスクリーン；
１つ以上のプロセッサ；
メモリ；及び
前記メモリに格納されており前記１つ以上のプロセッサによって実行されるように構成される１つ以上のプログラムを含む電子装置であって、
前記プログラムは、
複数の圧縮された送受信対話メッセージを少なくとも１つ以上のページ形態に区分して表示し、
前記少なくとも１つ以上のページ形態に区分された送受信対話メッセージのうち１つの送受信対話メッセージを含むページに対するジェスチャを感知し、
前記ジェスチャに応じて、前記ページに含まれた送受信対話メッセージを少なくとも１つ以上の相手方に送信する命令を含む電子装置。
【請求項５２】
前記複数の圧縮された送受信対話メッセージを特定の対話内容の開始メッセージであることを知らせるための区分線で区分し、区分されたメッセージに対する情報を表示し、
前記区分されたメッセージに対する情報に該当するオブジェクトのタッチを感知し、
前記タッチに応じて、前記区分されたメッセージ送信する命令をさらに含む請求項５１に記載の電子装置。
【請求項５３】
前記区分されたメッセージに対する情報は、
前記区分されたメッセージに対応するショートカットアイコン及び対話タイトルであることを特徴とする請求項５１に記載の電子装置。
【請求項５４】
前記ジェスチャは、ページをめくるジェスチャ動作であって、
ページがめくられる効果音が出力されることを特徴とする、請求項５１に記載の電子装置。
【発明の詳細な説明】
【技術分野】
【０００１】
本発明は、一般に電子装置に関し、特に電子装置におけるメッセージ管理のための方法及び装置並びにメッセージ送信方法及び装置に関する。
【背景技術】
【０００２】
一般に、携帯端末は、メッセージの送受信機能を有し、様々なオペレーティングシステム（ＯＳ）ベースのスマートフォンにも様々な形態のメッセージの送受信機能アプリケーション（メッセージ、カラーメール、モバイルメッセンジャーなどのようなメッセージングサービス）がインストールされて利用されている。
【０００３】
一般に、ユーザが携帯端末を介してメッセージを送受信する時、携帯端末のディスプレイにメッセージ内容が表示されることで、ユーザはメッセージ内容を把握できる。近年、スマートフォンでは、個別メッセージをデータ化して保存及びコピーする機能を提供する。また、特定のアプリケーションでは送受信メッセージを日付に基づいてその領域を区分してメッセージの送受信時間及び日付を容易に知らせ、各メッセージの送受信時間を表記する機能を提供する。当該メッセージを再確認する際に、日付情報は有用に利用されている。
【先行技術文献】
【特許文献】
【０００４】
韓国公開特許第１０−２０１０−００５１８９５号
【０００５】
図１（ａ）及び（ｂ）は、従来技術によるメッセージウィンドウを示している。
上記図１（ａ）（ｂ）を参照すると、携帯端末で、メッセージウィンドウはトークルーム画面の形態のメッセンジャー形のウィンドウで表示される。
【０００６】
相手方との送受信メッセージは、上記図１（ａ）のように、トークルーム画面の形態で単に対話機能のみを提供して管理され、特定のアプリケーションはメッセージの送受信日１００でメッセージを区分している。また、個別受信されたメッセージは再処理及び再加工なしで保存及び送信される。ディスプレイの大きさの制限のため、多量のメッセージを表示できる方法がなく、追加的なメッセージが送受信される場合、既存のメッセージは画面を離れるようになり、特定のユーザとの対話メッセージはスタック（ｓｔａｃｋ）のように積み重なるばかりで特定の日付のメッセージ内容又は特定のテーマの対話内容を確認するためには、図１（ｂ）のように、スクロールを用いて対話メッセージ内容を確認する作業が必要である。
【０００７】
特定の相手方との対話が頻繁な場合、特定の相手方との対話メッセージ内容を管理することは難しくなる。
【０００８】
換言すれば、特定の相手方との対話メッセージが多い場合、対話内容別に、メッセージを区分して管理する方法がなく、そのため、多くの対話が行き交う相手方との以前の対話内容を検索することが難しい。また、対話をテーマ別に区分して保存する方法がなく、特定の対話内容に該当するメッセージを再送する方法がない（例えば、会議録の送信）。また、特定の対話内容を保存しようとする場合は、保存する方法がない。
【発明の概要】
【発明が解決しようとする課題】
【０００９】
したがって、本発明の目的は、上記した問題点を解決する、電子装置におけるメッセージ管理のための方法及び装置並びにメッセージ送信方法及び装置を提供することにある。
【００１０】
本発明の他の目的は、電子装置における対話メッセージ内容を区分して管理する方法及び装置を提供することにある。
【００１１】
本発明のさらに他の目的は、電子装置における区分された対話メッセージ内容を送信するための方法及び装置を提供することにある。
【００１２】
本発明のさらに他の目的は、トークルーム画面で表示されたメッセージをマルチタッチを用いて対話内容を圧縮し、圧縮された対話メッセージ内容を当該相手方に又は特定の宛先に即座に送信する方法及び装置を提供することにある。
【００１３】
本発明のさらに他の目的は、対話メッセージウィンドウを対話のテーマ及びユーザの望む形態のグループ（キーワード、日付、送受信人の区分等）に区分し、トークルーム画面の編集機能を提供して送受信メッセージを選択して管理する方法及び装置を提供することにある。
【００１４】
本発明のさらに他の目的は、送受信メッセージの特性に応じて他の特定のアプリケーションをリンクさせて表示し、さらにそのリンクを利用する方法及び装置を提供することにある。
【課題を解決するための手段】
【００１５】
上記目的を達成するための本発明の第１見地によれば、メッセージ管理方法は、複数の送受信された対話メッセージの内容を日時別に並べて表示する段階と、前記送受信された対話メッセージを圧縮するための少なくとも１つのタッチを感知する段階と、前記少なくとも１つ以上のタッチに対応して、前記送受信された対話メッセージを圧縮する段階と、を含む。
【００１６】
上記目的を達成するための本発明の第２見地によれば、メッセージ送信方法は、複数の圧縮された送受信対話メッセージを表示する段階と、前記複数の圧縮された送受信対話メッセージのうち１つの圧縮された送受信対話メッセージに対するジェスチャを感知する段階と、前記ジェスチャに応じて、前記１つの圧縮された送受信対話メッセージに含まれたメッセージを少なくとも１つ以上の相手方に送信する段階と、を含む。
【００１７】
上記目的を達成するための本発明の第３見地によれば、メッセージ管理方法は、複数の送受信された対話メッセージの内容を並べて表示する段階と、前記複数の送受信されたメッセージの内容のうちデータベースデータと符合する少なくとも１つのメッセージがあるかを判断する段階と、前記符合する少なくとも１つのメッセージに基づいてメッセージを区分するための区分線を表示する段階と、を含む。
【００１８】
上記目的を達成するための本発明の第４見地によれば、メッセージ送信方法は、複数の圧縮された送受信対話メッセージを少なくとも１つ以上のページ形態に区分して表示する段階と、前記少なくとも１つ以上のページ形態に区分された送受信対話メッセージのうち１つの送受信対話メッセージを含むページに対するジェスチャを感知する段階と、前記ジェスチャに応じて、前記ページに含まれた送受信対話メッセージを少なくとも１つ以上の相手方に送信する段階と、を含む。
【００１９】
上記目的を達成するための本発明の第５見地によれば、タッチスクリーン；１つ以上のプロセッサ；メモリ；及び前記メモリに格納されており前記１つ以上のプロセッサによって実行されるように構成される１つ以上のプログラムを含む電子装置であって、前記プログラムは、複数の送受信された対話メッセージの内容を日付別に並べて表示し、前記送受信された対話メッセージを圧縮するための少なくとも１つのタッチを感知し、前記少なくとも１つ以上のタッチに対応して、前記送受信された対話メッセージを圧縮する命令を含む。
【００２０】
上記目的を達成するための本発明の第６見地によれば、タッチスクリーン；１つ以上のプロセッサ；メモリ；及び前記メモリに格納されており前記１つ以上のプロセッサによって実行されるように構成される１つ以上のプログラムを含む電子装置であって、前記プログラムは、複数の圧縮された送受信対話メッセージを表示し、前記複数の圧縮された送受信対話メッセージのうち１つの圧縮された送受信対話メッセージに対するジェスチャを感知し、前記ジェスチャに応じて、前記１つの圧縮された送受信対話メッセージに含まれたメッセージを少なくとも１つ以上の相手方に送信する命令を含む。
【００２１】
上記目的を達成するための本発明の第７見地によれば、タッチスクリーン；１つ以上のプロセッサ；メモリ；及び前記メモリに格納されており前記１つ以上のプロセッサによって実行されるように構成される１つ以上のプログラムを含む電子装置であって、前記プログラムは、複数の送受信された対話メッセージの内容を並べて表示し、前記複数の送受信されたメッセージの内容のうちデータベースデータと符合する少なくとも１つのメッセージがあるかを判断し、前記符合する少なくとも１つのメッセージに基づいてメッセージを区分するための区分線を表示する命令を含む。
【００２２】
上記目的を達成するための本発明の第８見地によれば、タッチスクリーン；１つ以上のプロセッサ；メモリ；及び前記メモリに格納されており前記１つ以上のプロセッサによって実行されるように構成される１つ以上のプログラムを含む電子装置であって、前記プログラムは、複数の圧縮された送受信対話メッセージを少なくとも１つ以上のページ形態に区分して表示し、前記少なくとも１つ以上のページ形態に区分された送受信対話メッセージのうち１つの送受信対話メッセージを含むページに対するジェスチャを感知し、前記ジェスチャに応じて、前記ページに含まれた送受信対話メッセージを少なくとも１つ以上の相手方に送信する命令を含む。
【図面の簡単な説明】
【００２３】
【図１】図１（ａ）及び（ｂ）は、従来技術によるメッセージウィンドウを示す図である。
【図２Ａ】図２Ａは、本発明の第１実施形態によるメッセージウインドウ内のメッセージを圧縮し、圧縮されたメッセージを表示する例を示す図である。
【図２Ｂ】図２Ｂは、本発明の第１実施形態によるメッセージウインドウ内のメッセージを圧縮し、圧縮されたメッセージを表示する例を示す図である。
【図３】本発明の第２実施形態によるメッセージウインドウ内のメッセージを圧縮する例を示す図である。
【図４】本発明の第２実施形態によるメッセージウインドウ内の圧縮されたメッセージを表示する例を示す図である。
【図５】本発明の第３実施形態によるメッセージウインドウ内のメッセージを圧縮する例を示す図である。
【図６】本発明の実施形態による圧縮比率を表示する例を示す図である。
【図７】本発明の実施形態によるメッセージウインドウ内の圧縮されたメッセージを送信する例を示す図である。
【図８】本発明の実施形態によるメッセージウインドウ内の対話メッセージを区分して編集する例を示す図である。
【図９】本発明の実施形態によるメッセージウインドウ内の対話メッセージを区分する例を示す図である。
【図１０】本発明の実施形態によるメッセージウインドウ内の区分された対話メッセージを併合する例を示す図である。
【図１１】本発明の実施形態によるメッセージウインドウ内の区分された対話メッセージを分離する例を示す図である。
【図１２】本発明の実施形態によるメッセージウインドウ内の区分された対話メッセージを送信する例を示す図である。
【図１３】本発明の実施形態による電子装置の構成図を示す図である。
【図１４】本発明の第１実施形態によるメッセージ管理のためのフローチャートである。
【図１５】本発明の第１実施形態によるメッセージ送信のためのフローチャートである。
【図１６】本発明の第２実施形態によるメッセージ管理のためのフローチャートである。
【図１７】本発明の第３実施形態によるメッセージ管理のためのフローチャートである。
【図１８】本発明の第４実施形態によるメッセージ管理のためのフローチャートである。
【図１９】本発明の第２実施形態によるメッセージ送信のためのフローチャートである。
【発明を実施するための形態】
【００２４】
以下、本発明の好ましい実施形態を添付された図面とともに詳しく説明する。なお、本発明を説明するに当たって、関連する公知の機能または構成に対する具体的な説明が本発明の要旨を不必要に不明確にする虞があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００２５】
以下、本発明による電子装置におけるメッセージ管理のための方法及び装置並びにメッセージ送信方法及び装置について説明する。
【００２６】
特に、送受信された対話メッセージを圧縮して送信する方法及び装置に関する。さらに、送受信された対話メッセージを用いてデータ変換及び処理並びにスヌーズ機能、メモなど他のアプリケーションと連動して動作する方法及び装置に関する。
【００２７】
本明細書において、ジェスチャは、電子装置のタッチスクリーンにタッチパターンをなすことを意味する。タッチは、ユーザの指又はスタイラスペン等の外部からの入力手段によって電子装置のタッチスクリーンに行われ、ジェスチャは、タッチスクリーンにタッチが維持された状態で所定のパターンのドラッグ（ｄｒａｇ）行われることを意味する。場合によっては、ジェスチャは、タッチが維持された状態でのドラッグ及びタッチの解除（ｒｅｌｅａｓｅ）まで行われることを意味する場合もある。
【００２８】
図２Ａ及び図２Ｂは、本発明の第１実施形態によるメッセージウインドウ内のメッセージを圧縮し、圧縮されたメッセージを表示する例を示す図である。
【００２９】
上記図２Ａを参照すると、ユーザが日付別に対話メッセージ内容を管理したい場合、ユーザは日付のカテゴリーに一番目のタッチを行い（図２Ａの２００）、二番目のタッチ（図２Ａの２１０）を活用してスクロールを利用する。そして、一番目又は二番目のタッチに該当する指がディスプレイから離れた時、一番目のタッチに該当するオブジェクトを識別して当該日付の対話メッセージが上記図２Ｂのように重なる形態で表示されるか、または圧縮形態で表示される。他の実施形態によれば、スクロール動作を行うことなく、当該日付のオブジェクトがタッチされる時、即座に当該日付の対話メッセージが圧縮されて表示されてもよい。
【００３０】
上記図２Ｂを参照すると、タッチの際、当該日付の対話メッセージが重なる形態で表示されるか（図２Ｂの２２０）、または圧縮アルゴリズムによって圧縮されてアイコンで表示されてもよい（図２Ｂの２３０）。しかし、図２Ｂのような対話メッセージ内容の圧縮の表現方法は、本発明で限定されるものではなく、多様に表現できることは自明である。
【００３１】
一方、日付別リストを圧縮する場合、スクロール動作を行うとともに圧縮される形状をリアルタイムで示すこともできる。
【００３２】
例えば、ユーザが一番目の指によって２０１２年４月２０日をタッチした後、二番目の指によって２０１２年４月２１日、２０１２年４月２２日に送受信した対話メッセージを順にスクロールする場合、自動的に日付別に圧縮が行われる。
【００３３】
図３は、本発明の第２実施形態によるメッセージウインドウ内のメッセージを圧縮する例を示す図である。
【００３４】
上記図３を参照すると、ユーザが特定のテーマ別に対話内容を管理したい場合、特定の対話メッセージをタッチし（図３の３００）、当該テーマの対話内容が終わる部分までスクロールした後（図３の３１０）、少なくとも１つ以上の指を除去した時、選択された対話メッセージに対して圧縮を実行する。この時、対話メッセージの内容を判別して約束、会議、スケジュール、雑談など様々な形態の対話のテーマに該当するタイトル又はそれに該当するアイコンが下記図４のように自動挿入される。実施形態によっては、特定のテーマに該当する対話メッセージが重なる形態で表示されてもよい。
【００３５】
一方、タイトル又はそれに該当するアイコンはユーザ入力で決定されてもよい。
【００３６】
図４は、本発明の第２実施形態によるメッセージウインドウ内の圧縮されたメッセージを表示する例を示す図である。
【００３７】
上記図４を参照すると、マルチタッチを介して特定の対話内容に該当するメッセージは、重なる形態で現れるか、又は圧縮形態で表示されてもよい（図４の４００）。
【００３８】
また、個別テーマの圧縮内容は、その上位概念に属する日の内容に従属してもよく、ユーザの要求に応じて個別に管理が可能である（図４の４１０）。
【００３９】
又は、個別テーマの圧縮内容は、下記図９乃至下記図１２のように、ページ形態に区分されて表示されてもよい。
【００４０】
図５は、本発明の第３実施形態によるメッセージウインドウ内のメッセージを圧縮する例を示す図である。
【００４１】
上記図５を参照すると、テーマ及び日付別に圧縮されて管理される内容は、その上位概念を適用して追加的な圧縮管理が可能である。例えば、日付別に圧縮管理されている対話メッセージを開始日を選択して目的日までスクロールを行うと（図５の５００）、週単位の圧縮管理が可能である（図５の５１０）。同様に、年単位まで管理が可能である。
【００４２】
また、圧縮の内容を表現する方法において、図６（ａ）のように、ユーザが設定した最大容量の圧縮比率を表現できる。又は、ユーザが事前に設定をして分割圧縮を行う場合、図６（ｂ）のように表現できる。
【００４３】
図６は、本発明の実施形態による圧縮比率を表示する例を示す図である。
【００４４】
図７は、本発明の実施形態によるメッセージウインドウ内の圧縮されたメッセージを送信する例を示す図である。
【００４５】
上記図７を参照すると、ユーザジェスチャに応じて圧縮管理される対話メッセージを他のユーザ又は目的の宛先に送信できる。
【００４６】
例えば、圧縮された対話メッセージに該当するアイコンをタッチする場合、ユーザの設定に応じて自動的に特定のユーザに発送できるようにするか、または手動で発送対象者を設定させる（図７の７００）。
【００４７】
又は、多数の特定の対象者との対話内容の場合、圧縮内容をタッチして仮想で表示部を縦に二等分する地点にドラッグして移す場合、多数の特定の対象者に送信する方法を採ることができる（図７の７１０）。
【００４８】
別の多様な実施形態において、圧縮された対話内容に対応するアイコンを右側のメッセージ対話相手に対応するアイコンにドラッグした時、前記圧縮された対話内容が当該メッセージ対話相手の電子装置に送信されてもよい。又は、ドラッグのようなユーザジェスチャを介して、グループ対話相手又はグループ対話相手のうち特定の対話相手に圧縮された対話内容を送信することもできる。
【００４９】
図８は、本発明の実施形態によるメッセージウインドウ内の対話メッセージを区分して編集する例を示す図である。
【００５０】
上記図８を参照すると、メッセージウインドウ内に対話メッセージ内容及びメッセージの送受信を認知できるアイコンが表示される。
【００５１】
様々な対話メッセージをやり取りする場合、ユーザが事前に定義した特定のフレーズ及び単語又は数字など意味を有するデータベースデータに基づいてメッセージ区間が区分される（図８の８３０）。実施形態によっては、ユーザがメッセージ内容を把握して直接区分線を決定してもよい。
【００５２】
自動的に区分されたメッセージ区間又はユーザによって区分されたメッセージ内容のうち日付又は特定の目的のメッセージ内容は、特定のテーマグループ又は任意の位置に移動可能である（図８の８１０）。換言すれば、テーマ別に類似したメッセージ内容を括ることができる。
【００５３】
また、様々なテーマについて、時間差をおいて、多くの対話メッセージを相手方と送受信をする。特定のテーマグループを区分するために、アイコン又は特定の意味を示す表示内容をユーザが任意に区画できる機能を提供する（図８の８３０）。
【００５４】
ユーザによって任意のアイコン又は特定の意味を示すことができる文字で表現可能である（図８の８２０）。
【００５５】
一方、対話メッセージ内容のうち、特定の対話のみを保存する必要がある場合、任意の図形又は当該メッセージを選択して保存できる（図８の８４０）。別の実施形態によれば、特定の対話メッセージ内容を保存する方法において対話内容で頻繁に使用される単語又はユーザが事前に設定しておいた単語を判別してそのキーワードに該当する送受信データを検索し、送受信時間の差を考慮して近接した対話メッセージを選択して保存することができる。この時、保存する前に選択された対話メッセージをユーザに保存するかを問うウインドウが表示されてもよい。
【００５６】
送受信されたメッセージの内容のうち、スヌーズの繰り返しが必要な場合、送受信されたメッセージの内容のうちアラーム情報に基づいて、アラーム機能を設定する（例えば、アラーム時刻、スヌーズの繰り返し周期及び回数）。アラーム設定は、ユーザが直接送受信されたメッセージの内容を参照して設定することができ、又は送受信されたメッセージの内容からアラーム情報が抽出されて自動的に設定され得る。さらに別の実施形態によっては、アラーム及びスヌーズに活用する対話メッセージを選択する時、アラーム又はスケジュールに自動又は手動で追加され得る。この時、当該アラーム情報に関連した対話メッセージにアラーム設定が行われた時、アラーム設定が行われていることを指示する表示情報（例えば、アラームアイコン等）が現れる（図８の８５０）。
【００５７】
実施形態において、対話メッセージの送受信中に、スケジュールなどやるべきこと又はメモが必要な場合、メモアプリケーションを実行してメモ内容を入力する。この時、メモ内容は当該対話メッセージの近くにアイコン又はメモであることを表示できる情報で示す（図８の８６０）。
【００５８】
さらに別の実施形態において、対話メッセージの送受信中に、特定のキーワード又はフレーズに該当する検索機能が必要な場合、対話メッセージの特定のキーワード又はフレーズを用いて検索機能を行い、検索機能を示すアイコンを表示する（図８の８７０）。別の実施形態において、対話メッセージの送受信中に検索機能が必要であることを指示する表示情報を示し、対話メッセージの送受信が終わった後、ユーザが検索機能の表示情報を参照して検索機能を行うことができる。
【００５９】
すなわち、検索用データは、対話メッセージの送受信中に、即座に検索の実施が可能でユーザによって対話メッセージの送受信作業が終わった後、検索機能の活用が可能である。
【００６０】
対話メッセージの種類のうち、ショートメッセージ又は静止画像及びオーディオを含む映像のメッセージも以上で説明した段階において活用が可能である。
【００６１】
図９は、本発明の実施形態によるメッセージウインドウ内の対話メッセージを区分する例を示す図である。
【００６２】
上記図９を参照すると、メッセージトークルーム画面が活性化する時、タイマーを動作して各対話メッセージを作成するごとに仮想でページを設定する（図９の９００）。ユーザの間の送受信対話が長くなる場合、仮想ページは長さが増えながら対話が記録される。ユーザ設定又はタイマーに基づいて特定の時間の間、追加的な送受信内容がない場合又はメッセージアプリケーションを終了する場合、自動的にページは区分されてユーザが認知できるようにする（図９の９１０）。
【００６３】
図１０は、本発明の実施形態によるメッセージウインドウ内の区分された対話メッセージを併合する例を示す図である。
【００６４】
上記図１０を参照すると、上記図９の区分されたページ９００、９１０はユーザによって併合され得る（図１０の１０００）。
【００６５】
図１１は、本発明の実施形態によるメッセージウインドウ内の区分された対話メッセージを分離する例を示す図である。
【００６６】
上記図１１を参照すると、１つのページは分離（図１１の１１００）又は部分送信のために分離できるユーザインタフェースを提供する（図１１の１１２０、１１３０）。
【００６７】
図１２は、本発明の実施形態によるメッセージウインドウ内の区分された対話メッセージを送信する例を示す図である。
【００６８】
上記図１２を参照すると、送受信された対話メッセージを送信する方法において、重要な内容を相手方に周知させるために、特定のテーマで区分したアイコン又はキーワードをタッチする場合（図１２の１２００）、当該対話メッセージが相手方に即座に送信される。
【００６９】
さらに、送受信対話メッセージを含むページ１２１０で折り畳まれている形態のページをタッチしてドラッグすると（すなわち、ページをめくるユーザジェスチャ）、対話内容の区分部分が破られる効果音を出力して当該相手方に送信される。
【００７０】
図１３は、本発明の実施形態による電子装置を示す図である。
【００７１】
電子装置は、携帯用電子装置（ｐｏｒｔａｂｌｅ  ｅｌｅｃｔｒｏｎｉｃ  ｄｅｖｉｃｅ）であって、携帯端末（ｐｏｒｔａｂｌｅ  ｔｅｒｍｉｎａｌ）、移動電話（ｍｏｂｉｌｅ  ｐｈｏｎｅ）、モバイルパッド（ｍｏｂｉｌｅ  ｐａｄ）、メディアプレーヤ（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置であってもよい。また、このような装置のうち２種以上の機能を結合した装置を含む任意の携帯用電子装置であってもよい。
【００７２】
上記図１３を参照すると、電子装置は、制御器１３００、スピーカ／マイクロホン１３１０、カメラ１３２０、ＧＰＳ受信機１３３０、ＲＦ処理器１３４０、センサモジュール１３５０、タッチスクリーン１３６０、タッチスクリーン制御器１３６５及び拡張メモリ１３７０を含んで構成される。
【００７３】
制御器１３００は、インタフェース１３０１、１つ以上のプロセッサ１３０２，１３０３及び内部メモリ１３０４を含むことができる。場合によっては、制御器１３００の全体をプロセッサと称する場合もある。インタフェース１３０１、アプリケーションプロセッサ１３０２、通信プロセッサ１３０３及び内部メモリ１３０４は別個の構成要素であるか、または１つ以上の集積化された回路に集積化されてもよい。
【００７４】
アプリケーションプロセッサ１３０２は、様々なソフトウェアプログラムを実行して電子装置のための種々の機能を行い、通信プロセッサ１３０３は、音声通信及びデータ通信のための処理及び制御を行う。また、このような通常の機能に加え、プロセッサ１３０２，１３０３は、拡張メモリ１３７０又は内部メモリ１３０４に保存されている特定のソフトウェアモジュール（命令セット）を実行し、そのモジュールに対応する特定の様々な機能を行う役割も果たす。すなわち、プロセッサ１３０２，１３０３は、拡張メモリ１３７０又は内部メモリ１３０４に格納されたソフトウェアモジュールと連動して、本発明のメッセージ管理、及びメッセージ送信のための実施形態の方法を行う。
【００７５】
例えば、アプリケーションプロセッサ１３０２は、対話メッセージを日付別に管理するために、日付別に対話メッセージ内容を管理する時、上記図２Ａのように、ユーザジェスチャに応じて日付カテゴリーのタッチを感知し、二番目のタッチによるスクロールを感知する。そして、タッチに該当する指がタッチスクリーン１３６０から離れた時、一番目のタッチが対象とするオブジェクトを識別して当該日付の対話内容を、図２Ｂのように、圧縮内容を保存し、当該対話メッセージが重なる形態で表示する（図２Ｂの２２０）。又は、圧縮アイコンを介して当該日付の対話メッセージが圧縮されたデータであることを表示する（図２Ｂの２３０）。対話メッセージ内容の圧縮の表現方法は多様であってもよく、上記図２Ｂは一つの実施形態に過ぎない。一方、日付別リストを圧縮する場合、図２Ａのように、スクロール動作を行うとともに、圧縮される形状をリアルタイムで示すこともできる。
【００７６】
また、アプリケーションプロセッサ１３０２は、対話メッセージをテーマ別に管理するために、特定のテーマ別に対話内容を管理する時、上記図３のように、特定の対話内容に対するタッチを感知し、当該テーマの対話内容が終わる部分までのスクロールを感知した後、タッチに該当する指がタッチスクリーン１３６０から離れた時、選択された対話メッセージを圧縮する。この時、対話メッセージの内容を判別して、約束、会議、スケジュール、雑談など様々な形態の対話のテーマに該当するタイトル又はそれに該当するアイコンなどを上記図４のように自動挿入する。実施形態によっては、ユーザ入力によって対話内容のテーマが決定されてもよい。個別テーマの圧縮内容は、その上位概念に属する日付の内容に従属することもでき、圧縮された対話メッセージを移動させて別途管理が可能である。
【００７７】
一方、テーマ及び日付別に圧縮されて管理される内容は、その上位概念を適用して追加的な圧縮管理が可能である。上記図５のように、日付別に管理されている対話内容を日付を選択し、目的の日付までスクロールすると、週間単位の管理が可能である。同じ方法で年単位まで管理することもできる。また、圧縮の内容を表現する方法において、上記図６（ａ）のように、ユーザが設定した最大容量の圧縮比率を表現するか、又は分割圧縮を行う場合、図６（ｂ）のように表現できる。
【００７８】
また、アプリケーションプロセッサ１３０２は、圧縮された対話メッセージを送信するために、上記図７のように、圧縮アイコンのタッチを感知した時、ユーザの設定に応じて自動的に１つの特定のユーザに発送するか、または発送対象者を手動で設定して発送する。又は多数の特定の対象者との対話内容の場合、圧縮アイコンに対するタッチを感知して仮想で表示される二等分する地点にドラッグされた時、送信する。
【００７９】
上記図２乃至上記図７は、対話メッセージを圧縮する例を説明したが、逆に圧縮された対話メッセージについて圧縮解除が行われてもよい。
【００８０】
また、アプリケーションプロセッサ１３０２は、対話メッセージを、ユーザによって事前に定義された特定のフレーズ及び単語又は数字など意味を有するデータを含むデータベースデータに基づいて、対話メッセージ区間を区分する。実施形態によっては、ユーザによって手動でメッセージ区間が決定されてもよい。
【００８１】
区分されたメッセージ区間又はユーザによって区分されたメッセージ区間の対話メッセージ内容のうち、日付又は特定の目的を含んで区分されたメッセージ内容は、ユーザによって特定のテーマグループ又は任意の位置に移動可能である（図８の８１０）。
【００８２】
上記図８のように、多くの対話メッセージは、様々な内容を時差をおいて相手方と送受信される。特定のテーマを区分するために、ユーザによって入力されたアイコン又は特定の意味を示す内容を含んでメッセージ区間を区分できる（図８の８３０）。
【００８３】
この時、任意のアイコン又は特定の意味を示すことができる文字とともに区分線で示す（図８の８２０）。
【００８４】
対話メッセージ内容のうち、特定の対話のみを保存する必要がある場合、任意の図形又は当該メッセージを選択して保存する。他の実施形態において、特定の対話メッセージを保存する時、対話内容で頻繁に使用される単語又はユーザによって設定された単語を判別してそのキーワードが該当する送受信対話メッセージを検索し、送受信時間を考慮して近接した時間内の対話メッセージを選択してユーザに問い合わせてから、保存する。
【００８５】
また、送受信された対話メッセージの内容のうち、スヌーズの繰り返しが必要な場合、メッセージ内容を参照してアラーム設定をする。この時、当該対話メッセージにアラームを示すアイコン及びアラームが設定されていることを示す内容を表示する。さらに、ユーザ設定に応じてスヌーズの繰り返し周期及び回数を設定できる。
【００８６】
実施形態によっては、アラーム及びスヌーズに活用する対話メッセージがユーザによって選択される時、アラーム又はスケジュールアプリケーションに自動又は手動で追加される。
【００８７】
さらに別の例として、対話メッセージの送受信中に、スケジュールなどやるべきこと又はメモが必要な場合、メモ機能を行ってアイコン又はメモであることを示す内容を表示する。
【００８８】
さらに別の例として、対話メッセージの送受信中に、特定のキーワード又はフレーズに該当する検索機能が必要な場合、特定のキーワード又はフレーズを用いて検索機能を行い、検索機能を示すアイコン又は検索機能が必要であることを示す内容を表示する。検索用データは、対話メッセージの送受信中に即座に検索の実施が可能で、また対話メッセージの送受信作業が終わった後、検索機能の活用が可能である。
【００８９】
対話メッセージウィンドウの活性化時、タイマーを動作して各メッセージを作成するごとに仮想でページを図９のように設定する。ユーザ間の送受信対話がある場合、仮想ページはその長さが増えながら対話が記録される。タイマーの開始及び終了は、ユーザによって決定されるか、又はシステムの画面スリープタイミングに基づいて特定の時間の間に追加的な送受信対話メッセージがない場合又はアプリケーションを終了する場合、自動的にページに区分して表示する。
【００９０】
上記図９のように区分されたページは、上記図１０のように、併合されてもよく、逆に図１１のように１つのページが複数のページに分離されてもよい。
【００９１】
対話メッセージの送信方法において、図１２のように、特定のテーマで区分したアイコン又はキーワードに対するタッチを感知した時、特定のテーマに該当するメッセージを対話当事者に即座に送信する。又は、ページをめくるユーザジェスチャに応じて、ページ形態に区分された対話メッセージを当該ページが破られる効果音とともに当該相手方に送信する。
【００９２】
一方、他のプロセッサ（図示せず）は、１つ以上のデータプロセッサ、イメージプロセッサ、又はコーデックを含むことができる。データプロセッサ、イメージプロセッサ又はコーデックは別に構成されてもよい。また、互いに異なる機能を行う複数のプロセッサで構成されてもよい。インタフェース１３０１は、電子装置のタッチスクリーン制御器１３６５及び拡張メモリ１３７０に接続する。
【００９３】
センサモジュール１３５０は、インタフェース１３０１に結合して様々な機能を可能にすることができる。例えば、モーションセンサ及び光センサがインタフェース１３０１に結合してそれぞれ電子装置のモーションの感知及び外部からの光感知を可能にすることができる。この他にも、位置測定システム、温度センサ又はバイオセンサなどのようなその他センサがインタフェース１３０１に接続され関連機能を行うことができる。
【００９４】
カメラ１３２０は、インタフェース１３０１を介してセンサモジュール１３５０と結合して、写真及びビデオクリップレコードのようなカメラ機能を行うことができる。
【００９５】
ＲＦ処理器１３４０は、通信機能が行われる。例えば、通信プロセッサ１３０３の制御下にＲＦ信号を基底帯域信号に変換して通信プロセッサ１３０３に提供するか、または通信プロセッサ１３０３からの基底帯域信号をＲＦ信号に変換して送信する。ここで、通信プロセッサ１３０３は、様々な通信方式で基底帯域信号を処理する。例えば、通信方式は、これらに限定しないが、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）通信方式、ＥＤＧＥ（Ｅｎｈａｎｃｅｄ  Ｄａｔａ  ＧＳＭ（登録商標）  Ｅｎｖｉｒｏｎｍｅｎｔ）通信方式、ＣＤＭＡ（Ｃｏｄｅ  Ｄｉｖｉｓｉｏｎ  Ｍｕｌｔｉｐｌｅ  Ａｃｃｅｓｓ）通信方式、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）通信方式、ＬＴＥ（Ｌｏｎｇ  Ｔｅｒｍ  Ｅｖｏｌｕｔｉｏｎ）通信方式、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式、Ｗｉ−Ｆｉ（Ｗｉｒｅｌｅｓｓ  Ｆｉｄｅｌｉｔｙ）通信方式、ＷｉＭａｘ通信方式又は／及びＢｌｕｅｔｏｏｔｈ（登録商標）通信方式を含むことができる。
【００９６】
スピーカ／マイクロホン１３１０は、音声認識、音声複製、デジタルレコーディング（ｒｅｃｏｒｄｉｎｇ）及び電話機能のようなオーディオストリームの入力及び出力を担当することができる。すなわち、スピーカ／マイクロホン１３１０は、音声信号を電気信号に変換するか、または電気信号を音声信号に変換する。図示していないが、脱着可能な（ａｔｔａｃｈａｂｌｅ  ａｎｄ  ｄｅｔａｃｈａｂｌｅ）イヤホン（ｅａｒ  ｐｈｏｎｅ）、ヘッドホン（ｈｅａｄ  ｐｈｏｎｅ）又はヘッドセット（ｈｅａｄ  ｓｅｔ）が外部ポートを介して電子装置に接続されてもよい。本発明において、スピーカ／マイクロホン１３１０は、特定の対話メッセージの内容と連結されたアラーム設定に応じてアラーム信号を出力する。
【００９７】
タッチスクリーン制御器１３６５は、タッチスクリーン１３６０に結合され得る。タッチスクリーン１３６０及びタッチスクリーン制御器１３６５は、以下に限定しないが、タッチスクリーン１３６０との１つ以上の接触点を決定するための容量性、抵抗性、赤外線及び表面音響波技術だけでなくその他近接センサ配列又はその他要素を含む任意のマルチタッチ感知技術を用いて接触及びモーション又はこれらの中断を検出できる。
【００９８】
タッチスクリーン１３６０は、電子装置とユーザとの間に入力／出力インタフェースを提供する。すなわち、タッチスクリーン１３６０は、ユーザのタッチ入力を制御器１３００に伝達する。また電子装置からの出力をユーザに示す媒体である。すなわち、タッチスクリーンは、ユーザに視覚的な出力を示す。このような視覚的出力（ｖｉｓｕａｌ  ｏｕｔｐｕｔ）は、テキスト（ｔｅｘｔ）、グラフィック（ｇｒａｐｈｉｃ）、ビデオ（ｖｉｄｅｏ）及びこれらの組み合わせの形態で示される。
【００９９】
タッチスクリーン１３６０は、様々なディスプレイが使用されてもよい。例えば、これに限定しないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇ  ｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）又はＦＬＥＤ（Ｆｌｅｘｉｂｌｅ  ＬＥＤ）を使用することができる。
【０１００】
ＧＰＳ受信機１３３０は、人工衛星から受信した信号を位置、速度、時間などの情報に変換する。例えば、衛星とＧＰＳ受信機との間の距離は、光の速度に信号到達時間を掛けて計算され、３台の衛星の正確な位置及び距離を求めて公知の三角測量の原理に基づいて電子装置の位置が測定される。
【０１０１】
拡張メモリ１３７０又は内部メモリ１３０４は、１つ以上の磁気ディスク格納装置のような高速ランダムアクセスメモリ及び／又は不揮発性メモリ、１つ以上の光格納装置及び／又はフラッシュメモリ（例えば、ＮＡＮＤ、ＮＯＲ）を含むことができる。
【０１０２】
拡張メモリ１３７０又は内部メモリ１３０４は、ソフトウェアを格納する。ソフトウェア構成要素は、オペレーティングシステム（ｏｐｅｒａｔｉｎｇ  ｓｙｓｔｅｍ）ソフトウェアモジュール、通信ソフトウェアモジュール、グラフィックソフトウェアモジュール、ユーザインタフェースソフトウェアモジュール及びＭＰＥＧモジュール、カメラソフトウェアモジュール、１つ以上のアプリケーションソフトウェアモジュールなどを含む。また、ソフトウェア構成要素であるモジュールは、命令の集合で表現できるので、モジュールを命令セット（ｉｎｓｔｒｕｃｔｉｏｎ  ｓｅｔ）で表現する場合もある。また、モジュールはプログラムで表現する場合もある。
【０１０３】
オペレーティングシステムソフトウェアは、一般的なシステム動作（ｓｙｓｔｅｍ  ｏｐｅｒａｔｉｏｎ）を制御する様々なソフトウェア構成要素を含む。このような一般的なシステム動作の制御は、例えば、メモリ管理及び制御、格納ハードウェア（装置）制御及び管理、電力制御及び管理などを意味する。このようなオペレーティングシステムソフトウェアは様々なハードウェア（装置）とソフトウェア構成要素（モジュール）との間の通信を円滑にする機能も行う。
【０１０４】
通信ソフトウェアモジュールは、ＲＦ処理器１３４０を介してコンピュータ、サーバ及び／又は携帯端末など他の電子装置との通信を可能にすることができる。そして、通信ソフトウェアモジュールは、当該通信方式で該当するプロトコル構造で構成される。
【０１０５】
グラフィックソフトウェアモジュールは、タッチスクリーン１３６０上にグラフィックを提供して表示するための様々なソフトウェア構成要素を含む。グラフィック（ｇｒａｐｈｉｃｓ）という用語は、テキスト（ｔｅｘｔ）、ウェブページ（ｗｅｂ  ｐａｇｅ）、アイコン（ｉｃｏｎ）、デジタルイメージ（ｄｉｇｉｔａｌ  ｉｍａｇｅ）、ビデオ（ｖｉｄｅｏ）、アニメーション（ａｎｉｍａｔｉｏｎ）などを含む意味として用いられる。
【０１０６】
ユーザインタフェースソフトウェアモジュールは、ユーザインタフェースに関連した様々なソフトウェア構成要素を含む。ユーザインタフェースの状態がどのように変更されるか、又はユーザインタフェース状態の変更がどのような条件で行われるか等に対する内容を含む。
【０１０７】
カメラソフトウェアモジュールは、カメラ関連プロセス及び機能を可能にするカメラ関連ソフトウェア構成要素を含む。アプリケーションモジュールは、ブラウザ（ｂｒｏｗｓｅｒ）、Ｅメール（ｅｍａｉｌ）、インスタントメッセージ（ｉｎｓｔａｎｔ  ｍｅｓｓａｇｅ）、ワードプロセッシング（ｗｏｒｄ  ｐｒｏｃｅｓｓｉｎｇ）、キーボードエミュレーション（ｋｅｙｂｏａｒｄ  ｅｍｕｌａｔｉｏｎ）、アドレスブック（ａｄｄｒｅｓｓ  ｂｏｏｋ）、タッチリスト（ｔｏｕｃｈ  ｌｉｓｔ）、ウィジェット（ｗｉｄｇｅｔ）、デジタル著作権管理（ＤＲＭ：Ｄｉｇｉｔａｌ  Ｒｉｇｈｔ  Ｍａｎａｇｅｍｅｎｔ）、音声認識（ｖｏｉｃｅ  ｒｅｃｏｇｎｉｔｉｏｎ）、音声複製、位置決定機能（ｐｏｓｉｔｉｏｎ  ｄｅｔｅｒｍｉｎｉｎｇ  ｆｕｎｃｔｉｏｎ）、ロケーションベースサービス（ｌｏｃａｔｉｏｎ  ｂａｓｅｄ  ｓｅｒｖｉｃｅ）などを含む。メモリ１３７０，１３０４は、上記したモジュールの他、追加的なモジュール（命令）を含むことができる。又は、必要に応じて、一部のモジュール（命令）を使用しない場合もある
本発明に関連して、メッセージ管理及びメッセージ送信のための命令（下記図１４乃至図１９参照）を含む。
【０１０８】
タッチ動作を活用した日付別リスト構成の方法に関連した命令は、日付別に対話メッセージ内容を管理する時、上記図２Ａのように、ユーザジェスチャに応じて日付カテゴリーのタッチを感知し、二番目のタッチによるスクロールを感知する。そして、タッチに該当する指がタッチスクリーン１３６０から離れた時、一番目のタッチが対象とするオブジェクトを識別して当該日付の対話内容を、図２Ｂのように、圧縮内容を保存して当該対話メッセージが重なる形態で表示する（図２Ｂの２２０）。又は、圧縮アイコンを介して当該日付の対話メッセージが圧縮されたデータであることを表示する（図２Ｂの２３０）。対話メッセージ内容の圧縮の表現方法は、多様に表現可能で、上記図２Ｂは一つの実施形態に過ぎない。一方、日付別リストを圧縮する場合、図２Ａのように、スクロール動作を行うとともに、圧縮される形状をリアルタイムで示すこともできる。
【０１０９】
また、タッチ動作を活用したテーマ別リスト構成の方法に関連した命令は、特定のテーマ別に対話内容を管理する時、上記図３のように、特定の対話内容に対するタッチを感知し、当該テーマの対話内容が終わる部分までのスクロールを感知した後、タッチに該当する指がタッチスクリーン１３６０から離れた時、選択された対話メッセージを圧縮する。この時、対話メッセージの内容を判別して約束、会議、スケジュール、雑談など様々な形態の対話のテーマに該当するタイトル又はそれに該当するアイコンなどを上記図４のように自動挿入する。実施形態によっては、ユーザ入力によって対話内容のテーマが決定されてもよい。個別テーマの圧縮内容は、その上位概念に属する日の内容に従属することもでき、圧縮された対話メッセージを移動させて別途管理が可能である。
【０１１０】
テーマ及び日付別に圧縮されて管理される内容は、その上位概念を適用して追加的な圧縮管理が可能である。上記図５のように、日付別に管理されている対話内容を日付を選択し、目的の日付までスクロールすると、週間単位の管理が可能である。同じ方法で年単位まで管理が可能である。また圧縮の内容を表現する方法において、上記図６（ａ）のように、ユーザが設定した最大容量の圧縮比率を表現するか、又は分割圧縮を行う場合、図６（ｂ）のように表現できる。
【０１１１】
タッチ動作を活用した圧縮内容の伝達方法に関連した命令は、上記図７のように、圧縮アイコンをタッチする場合、ユーザの設定に応じて自動的に１つの特定のユーザに発送できるようにするか、発送対象者を手動で設定して発送する。又は多数の特定の対象者との対話内容の場合、圧縮アイコンをタッチして仮想で表示される二等分する地点にドラッグして移す場合、送信されてもよい。
【０１１２】
上記図２乃至上記図７は、対話メッセージを圧縮する例を説明したが、逆に圧縮された対話メッセージに対して圧縮解除が行われてもよい。
【０１１３】
また、メッセージウインドウ内の対話メッセージを区分して編集するための命令は、対話メッセージを、ユーザによって事前に定義された特定のフレーズ及び単語又は数字など意味を有するデータを含むデータベースデータに基づいて、対話メッセージ区間を区分する。実施形態によっては、ユーザによって手動でメッセージ区間が決定されてもよい。
【０１１４】
区分されたメッセージ区間又はユーザによって区分されたメッセージ区間の対話メッセージ内容のうち、日付又は特定の目的を含んで区分されたメッセージ内容は、ユーザによって特定のテーマグループ又は任意の位置に移動可能である（図８の８１０）。
【０１１５】
上記図８のように、多くの対話メッセージは、様々な内容を時差をおいて相手方と送受信する。特定のテーマを区分するためにユーザによって入力されたアイコン又は特定の意味を示す内容を含んでメッセージ区間を区分できる（図８の８３０）。
【０１１６】
この時、任意のアイコン又は特定の意味を示すことができる文字とともに区分線で示す（図８の８３０）。
【０１１７】
対話メッセージ内容のうち、特定の対話のみを保存する必要がある場合、任意の図形又は当該メッセージを選択して保存する。他の実施形態において、特定の対話メッセージを保存する時、対話内容で頻繁に使用される単語又はユーザによって設定された単語を判別してそのキーワードが該当する送受信対話メッセージを検索し、送受信時間を考慮して近接した時間内の対話メッセージを選択してユーザに問い合わせてから、保存する。
【０１１８】
また、送受信された対話メッセージの内容のうち、繰り返して知らせる必要がある場合、メッセージ内容を参照してアラーム設定をする。この時、当該対話メッセージにアラームを示すアイコン及びアラームが設定されていることを示す内容を表示する。さらに、ユーザ設定に応じてスヌーズの繰り返し周期及び回数を設定できる。
【０１１９】
実施形態によっては、アラーム及びスヌーズに活用する対話メッセージがユーザによって選択される時、アラーム又はスケジュールアプリケーションに自動又は手動で追加される。
【０１２０】
さらに別の例として、対話メッセージの送受信中に、スケジュールなどやるべきこと又はメモが必要な場合、メモ機能を行ってアイコン又はメモであることを示す内容を表示する。
【０１２１】
さらに別の例として、対話メッセージの送受信中に、特定のキーワード又はフレーズに該当する検索機能が必要な場合、特定のキーワード又はフレーズを用いて検索機能を行い、検索機能を示すアイコン又は検索機能が必要であることを示す内容を表示する。検索用データは、対話メッセージの送受信中に、即座に検索の実施が可能で、また対話メッセージの送受信作業が終わった後、検索機能の活用が可能である。
【０１２２】
対話メッセージウィンドウの活性化時、タイマーを動作して各メッセージ作成するごとに仮想でページを図９のように設定する。ユーザの間の送受信対話がある場合、仮想ページはその長さが増えながら対話が記録される。タイマーの開始及び終了は、ユーザによって決定されるか、又はシステムの画面スリープタイミングに基づいて所定時間の間に、追加的な送受信対話メッセージがない場合、又はアプリケーションを終了する場合、自動的にページに区分して表示する。
【０１２３】
上記図９のように、区分されたページは上記図１０のように併合されることができ、逆に図１１のように１つのページが複数のページに分離されてもよい。
【０１２４】
対話メッセージ送信方法に関連した命令は、図１２のように、特定のテーマで区分したアイコン又はキーワードに対するタッチを感知した時、特定のテーマに該当するメッセージを対話当事者に即座に送信する。又は、ページをめくるユーザジェスチャに応じてページ形態に区分された対話メッセージを当該ページが破られる効果音とともに当該相手方に送信する。
【０１２５】
また、上記及び下記の本発明による電子装置の様々な機能は、１つ以上のプロセッシング（ｐｒｏｃｅｓｓｉｎｇ）及び／又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  ｃｉｒｃｕｉｔ）を含むハードウェア及び／又はソフトウェア及び／又はこれらの組み合わせによって実行されてもよい。
【０１２６】
図１４は、本発明の第１実施形態によるメッセージ管理のためのフローチャートである。
【０１２７】
上記図１４を参照すると、電子装置は、ステップ１４００で、送受信対話メッセージを並べて表示し、ステップ１４０２で、ユーザジェスチャ（例えば、マルチタッチ）を介して並べられた送受信メッセージから特定の対話内容に該当するメッセージを選択する（図２Ａ及び図３参照）。特定の対話内容は、日付別に送受信されたメッセージであっても、テーマ別の送受信対話メッセージであってもよい。
【０１２８】
以降、電子装置は、ステップ１４０４で、選択された特定の対話内容に該当するメッセージを該当圧縮アルゴリズムを利用して圧縮する。
【０１２９】
以降、電子装置は、ステップ１４０６で、圧縮された対話メッセージに対してタイトルが入力される時、ステップ１４０８に進んで圧縮された対話メッセージに対するタイトルをユーザから入力され、ステップ１４１０で、圧縮された対話メッセージ及びタイトルを表示する（図２Ｂ及び図４）。この時、選択された特定の対話内容に該当するメッセージが重なって表示されるか、または圧縮アイコン形態で表示されてもよい。
【０１３０】
一方、圧縮された対話メッセージに対してタイトルが入力されない場合、当該モードを行う。例えば、当該モードで、圧縮された対話メッセージに対するタイトルは選択された特定の対話内容に該当するメッセージのうち最初のメッセージの内容に決定されてもよい。
【０１３１】
以降、本発明の手順を終了する。
【０１３２】
図１５は、本発明の第１実施形態によるメッセージ送信のためのフローチャートである。
【０１３３】
上記図１５を参照すると、電子装置は、ステップ１５００で、上記図４のように、圧縮された特定の対話内容に該当するメッセージを表示し、ステップ１５０２で、ユーザジェスチャ（タッチ又はダブルタップ）が感知された場合、当該圧縮された特定の対話内容に該当するメッセージを特定の相手方又は複数の特定の相手方に送信する（上記図７参照）。例えば、圧縮されたメッセージに対応するアイコン（以下、圧縮アイコンと称する）に対するタッチが感知された時、相手方に圧縮アイコンに対応する特定の対話内容に該当するメッセージを送信する。この時、メッセージは圧縮された状態で送信されても、圧縮されていない形態で送信されてもよい。
【０１３４】
以降、本発明の手順を終了する。
【０１３５】
図１６は、本発明の第２実施形態によるメッセージ管理のためのフローチャートである。
【０１３６】
上記図１６を参照すると、電子装置は、ステップ１６００で、メッセージの送受信開始イベントが発生した場合、ステップ１６０２に進んでメッセージの送受信を開始する。
【０１３７】
以降、電子装置は、ステップ１６０４で、送受信されたメッセージの一部又は全体内容を他のアプリケーションの駆動データ（アラーム時刻、検索キーワード等）として利用するかを判断し、利用する場合、ステップ１６０６に進んで当該メッセージを他のアプリケーションの駆動データにリンクさせるか、又は当該メッセージを用いて他のアプリケーションを実行させる（上記図８参照）。
【０１３８】
一方、送受信されたメッセージの一部又は全体内容を他のアプリケーションの駆動データに利用しない場合、ステップ１６０８に進む。
【０１３９】
以降、電子装置は、ステップ１６０８に進んで、所定時間の間メッセージの送受信があるかを判断し、所定時間の間メッセージの送受信がある場合、ステップ１６１０に進み、一方、所定時間の間メッセージの送受信がない場合は、ステップ１６０２に戻る。
【０１４０】
電子装置は、ステップ１６１０で、所定時間の間送受信されたか、又はメッセージの送受信開始イベントから送受信されたメッセージをページ形態で保存及び表示する。
【０１４１】
以降、本発明の手順を終了する。
【０１４２】
図１７は、本発明の第３実施形態によるメッセージ管理のためのフローチャートである。
【０１４３】
上記図１７を参照すると、電子装置は、ステップ１７００で、メッセージの送受信開始イベントが発生した場合、ステップ１７０２に進んでメッセージの送受信を開始する。
【０１４４】
以降、電子装置は、ステップ１７０４で、送受信されたメッセージの一部又は全体内容を他のアプリケーションの駆動データ（アラーム時刻、検索キーワード等）として利用するかを判断し、利用する場合、ステップ１７０６に進んで当該メッセージを他のアプリケーションの駆動データにリンクさせるか、又は当該メッセージを用いて他のアプリケーションを実行させる（上記図８参照）。
【０１４５】
一方、送受信されたメッセージの一部又は全体内容を他のアプリケーションの駆動データに利用しない場合、ステップ１７０８に進む。
【０１４６】
以降、電子装置は、ステップ１７０８に進んで、メッセージの送受信イベントが終了されたかを判断し、送受信イベントが終了した場合、ステップ１７１０に進み、一方、送受信イベントが終了していない場合は、ステップ１７０２に戻る。
【０１４７】
電子装置は、ステップ１７１０で、送受信イベント開始時点から終了時点まで送受信されたメッセージをページ形態で保存及び表示する。
【０１４８】
以降、本発明の手順を終了する。
【０１４９】
図１８は、本発明の第４実施形態によるメッセージ管理のためのフローチャートである。
【０１５０】
上記図１８を参照すると、電子装置は、ステップ１８００で、メッセージの送受信時刻を検索し、ステップ１８０２で、送受信時刻に基づいてメッセージを区分する。
【０１５１】
以降、電子装置は、ステップ１８０４で、送受信時刻で区分されたメッセージの内容のうち、データベースにあらかじめ設定された特定の単語又は内容と符合する送受信メッセージがあるかを判断する。
【０１５２】
以降、電子装置は、ステップ１８０６で、符合する送受信メッセージがある場合、ステップ１８０８に進み、送受信メッセージがない場合、ステップ１８１０に進む。
【０１５３】
電子装置は、ステップ１８０８で、符合する送受信メッセージを区分する。例えば、特定の単語又は内容に該当するメッセージの送受信時刻に基づいて、送受信メッセージを区分する。換言すれば、特定の送受信メッセージの送受信時刻の前後に送受信されたメッセージを１つのグループとして括る。
【０１５４】
以降、電子装置は、ステップ１８１０で、送受信されたメッセージの一部又は全体内容を他のアプリケーションの駆動データ（アラーム時刻、検索キーワード等）で利用するかを判断し、利用する場合、ステップ１８１２に進んで当該メッセージを他のアプリケーションの駆動データにリンクさせるか、又は当該メッセージを用いて他のアプリケーションを実行させる（上記図８参照）。
【０１５５】
以降、本発明の手順を終了する。
【０１５６】
別の実施形態によっては、複数の送受信されたメッセージを特定のテーマによってユーザが直接メッセージの区分線を決定することもできる。
【０１５７】
図１９は、本発明の第２実施形態によるメッセージ送信のためのフローチャートである。
【０１５８】
上記図１９を参照すると、電子装置は、ステップ１９００で、上記図１２のように、ページ形態で対話内容に該当するメッセージを表示し、ステップ１９０２で、ユーザジェスチャ（例えば、ページをめくるジェスチャ）が感知された場合、当該ページに含まれた特定の対話内容に該当するメッセージを特定の相手方又は複数の特定の相手方に送信する（上記図１２参照）。
【０１５９】
又は、メッセージが区分線で分かれており、区分された領域に対するアイコン又は区分されたメッセージに対する内容が表示されている時、区分線に対応するアイコンに対するタッチが感知された場合、区分されたメッセージを特定の相手方又は複数の特定の相手方に送信する（上記図１２参照）。
【０１６０】
以降、本発明の手順を終了する。
【０１６１】
上記のように、本発明は、送受信されたメッセージをマルチタッチ機能を用いて特定のテーマ及び日付に基づいて、メッセージを圧縮して管理し、選択された圧縮メッセージを事前に指定又はユーザの要求に応じて選択された宛先に送信することで、特定の対話メッセージ内容を容易に送信できる利点がある。
【０１６２】
また、本発明は一番目にタッチした部分の内容を圧縮されたメッセージ内容に設定するユーザフレンドリーかつ直観的なインターフェースを提供するのでが、多量のデータを圧縮管理することに役立つ。さらに、Ｅメール及びその他電子文書の管理に役立つ。
【０１６３】
また、本発明は送受信されるメッセージを個別グループで管理し、選択された対話メッセージを処理して様々なアプリケーションと連携させて活用できる利点がある。
【０１６４】
また、本発明は、各個別メッセージの特性に応じてメモ及びスヌーズ機能を与え、メッセージ内容をアラームデータとして活用することができ、様々なユーザエクスペリエンスを提供する効果がある。
【０１６５】
一方、本発明を実施するための形態では具体的な実施形態に関して説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【図１】
2014096798.tif 000003
【図２Ａ】
2014096798.tif 000004
【図２Ｂ】
2014096798.tif 000005
【図３】
2014096798.tif 000006
【図４】
2014096798.tif 000007
【図５】
2014096798.tif 000008
【図６】
2014096798.tif 000009
【図７】
2014096798.tif 000010
【図８】
2014096798.tif 000011
【図９】
2014096798.tif 000012
【図１０】
2014096798.tif 000013
【図１１】
2014096798.tif 000014
【図１２】
2014096798.tif 000015
【図１３】
2014096798.tif 000016
【図１４】
2014096798.tif 000017
【図１５】
2014096798.tif 000018
【図１６】
2014096798.tif 000019
【図１７】
2014096798.tif 000020
【図１８】
2014096798.tif 000021
【図１９】
2014096798.tif 000022